(57)【要約】【課題】メディアイメージを捕捉するイメージシステムを提供する。【解決手段】メディアイメージを捕捉するイメージシステムは、照明システムと光学モジュールからなり、両者の結合によりメディアのスキャンを実行する。照明システムは、管状拡散プラテン、光源、反射器からなる。光学モジュールは、イメージ素子を囲繞旋転する旋転光学プラテンを有し、且つ、イメージ素子は、レンズアレイ、光学素子、線的センサーアレイ、相互接続回路、及び、ハウジング、からなり、光学プラテンは透過型で、イメージ素子が透過型メディアのイメージを補足できると共に、透過型メディアを精確に最適な焦点面に定位させる。【選択図】図１
2007097143.tif 000002
【特許請求の範囲】
【請求項１】
メディアイメージを捕捉するイメージシステムであって、
メディアのスキャンイメージを生成する光学モジュールからなり、前記光学モジュールは、
スキャンメカニズムと、
前記スキャンメカニズムに対し旋転する管状光学プラテンと、
からなることを特徴とするメディアイメージを捕捉するイメージシステム。
【請求項２】
前記スキャンメカニズムは、
光線を生成する光源と、
前記メディアに向けて前記光線を反射する反射器と、
イメージ素子と、
からなることを特徴とする請求項１に記載のメディアイメージを捕捉するイメージシステム。
【請求項３】
前記イメージ素子は、
前記メディアのイメージを捕捉する線的センサーアレイと、
前記メディアの前記イメージを前記線的センサーアレイ上に構築するレンズアレイと、
前記線的センサーアレイの出力信号を制御、及び、取得する相互接続回路と、
前記イメージ素子の複数の素子を容納、排列するハウジングと、
からなることを特徴とする請求項２に記載のメディアイメージを捕捉するイメージシステム。
【請求項４】
前記イメージ素子は、更に、
前記イメージ素子の尺寸を縮小する光学素子を有することを特徴とする請求項３に記載のメディアイメージを捕捉するイメージシステム。
【請求項５】
更に、前記イメージシステムを複数の外部素子、或いは、ストレージに接続する制御システムを有することを特徴とする請求項３に記載のメディアイメージを捕捉するイメージシステム。
【請求項６】
前記線的センサーアレイは、電荷結合装置（ｃｈａｒｇｅ−ｃｏｕｐｌｅｄ  ｄｅｖｉｃｅ、ＣＣＤ）、或いは、シーモス（Ｃｏｍｐｌｅｍｅｎｔａｒｙ  Ｍｅｔａｌ  Ｏｘｉｄｅ  Ｓｅｍｉｃｏｎｄｕｃｔｏｒ、ＣＭＯＳ）技術を含むことを特徴とする請求項３に記載のメディアイメージを捕捉するイメージシステム。
【請求項７】
前記制御システムは、一つ以上の電子、ファームウェア、ソフト、電気機械部品、或いは、その群の組み合わせからなることを特徴とする請求項５に記載のメディアイメージを捕捉するイメージシステム。
【請求項８】
前記光学素子は、光学プリズム、或いは、複数の鏡を含むことを特徴とする請求項４に記載のメディアイメージを捕捉するイメージシステム。
【請求項９】
前記レンズアレイは、単一倍率（ｕｎｉｔｙ  ｍａｇｎｉｆｉｃａｔｉｏｎ）のレンズアレイであることを特徴とする請求項３に記載のメディアイメージを捕捉するイメージシステム。
【請求項１０】
メディアイメージを捕捉するイメージシステムであって、
前記メディアを照明する照明システムと、
前記メディアのイメージを捕捉する光学モジュールからなり、前記光学モジュールは、
イメージ素子と、
前記イメージ素子に対し旋転し、前記メディアを精確に適当な焦点面に定位させる管状光学プラテンと、
からなることを特徴とするメディアイメージを捕捉するイメージシステム。
【請求項１１】
前記照明システムは、
光線を生成する光源と、
前記メディアに向けて前記光線を反射する反射器と、
からなることを特徴とする請求項１０に記載のメディアイメージを捕捉するイメージシステム。
【請求項１２】
前記照明システムは、更に、
前記光源からの光線に対し拡散を実行する管状拡散プラテンを有することを特徴とする請求項１１に記載のメディアイメージを捕捉するイメージシステム。
【請求項１３】
前記イメージ素子は、
前記メディアのイメージを捕捉する線的センサーアレイと、
前記メディアの前記イメージを前記線的センサーアレイ上に構築するレンズアレイと、
前記線的センサーアレイの出力信号を制御、及び、取得する相互接続回路と、
前記イメージ素子の複数の素子を容納、排列するハウジングと、
からなることを特徴とする請求項１０に記載のメディアイメージを捕捉するイメージシステム。
【請求項１４】
前記イメージ素子は、更に、
前記イメージ素子の尺寸を縮小する光学素子を有することを特徴とする請求項１３に記載のメディアイメージを捕捉するイメージシステム。
【請求項１５】
更に、前記イメージシステムを複数の外部素子、或いは、ストレージに接続する制御システムを有することを特徴とする請求項１０に記載のメディアイメージを捕捉するイメージシステム。
【請求項１６】
前記線的センサーアレイは、電荷結合装置（ｃｈａｒｇｅ−ｃｏｕｐｌｅｄ  ｄｅｖｉｃｅ、ＣＣＤ）、或いは、シーモス（Ｃｏｍｐｌｅｍｅｎｔａｒｙ  Ｍｅｔａｌ  Ｏｘｉｄｅ  Ｓｅｍｉｃｏｎｄｕｃｔｏｒ、ＣＭＯＳ）技術を含むことを特徴とする請求項１３に記載のメディアイメージを捕捉するイメージシステム。
【請求項１７】
前記制御システムは、一つ以上の電子、ファームウェア、ソフト、電気機械部品、或いは、その群の組み合わせからなることを特徴とする請求項１５に記載のメディアイメージを捕捉するイメージシステム。
【請求項１８】
前記光学素子は、光学プリズム、或いは、複数の鏡を含むことを特徴とする請求項１４に記載のメディアイメージを捕捉するイメージシステム。
【請求項１９】
前記レンズアレイは、単一倍率（ｕｎｉｔｙ  ｍａｇｎｉｆｉｃａｔｉｏｎ）のレンズアレイであることを特徴とする請求項１３に記載のメディアイメージを捕捉するイメージシステム。
【請求項２０】
メディアイメージを捕捉するイメージシステムであって、
光線を生成する光源と、メディアに向けて前記光線を反射する反射器と、からなる照明システムと、
イメージ素子と、前記イメージ素子に対し旋転し、前記メディアを精確に適当な焦点面に定位させる管状光学プラテンと、からなる光学モジュールと、
からなることを特徴とするメディアイメージを捕捉するイメージシステム。
【請求項２１】
前記照明システムは、更に、
前記光源からの光線に対し拡散を実行する管状拡散プラテンを有することを特徴とする請求項２０に記載のメディアイメージを捕捉するイメージシステム。
【請求項２２】
前記イメージシステムは、
前記メディアのイメージを捕捉する線的センサーアレイと、
前記メディアの前記イメージを前記線的センサーアレイ上に構築するレンズアレイと、
前記線的センサーアレイの出力信号を制御、及び、取得する相互接続回路と、
前記イメージ素子の複数の素子を容納、排列するハウジングと、
からなることを特徴とする請求項２０に記載のメディアイメージを捕捉するイメージシステム。
【請求項２３】
前記イメージ素子は、更に、
前記イメージ素子の尺寸を縮小する光学素子を有することを特徴とする請求項２０に記載のメディアイメージを捕捉するイメージシステム。
【請求項２４】
更に、前記イメージ素子を複数の外部素子、或いは、ストレージに接続する制御システムを有することを特徴とする請求項２０に記載のメディアイメージを捕捉するイメージシステム。
【請求項２５】
前記線的センサーアレイは、電荷結合装置（ｃｈａｒｇｅ−ｃｏｕｐｌｅｄ  ｄｅｖｉｃｅ、ＣＣＤ）、或いは、シーモス（Ｃｏｍｐｌｅｍｅｎｔａｒｙ  Ｍｅｔａｌ  Ｏｘｉｄｅ  Ｓｅｍｉｃｏｎｄｕｃｔｏｒ、ＣＭＯＳ）技術を含むことを特徴とする請求項２２に記載のメディアイメージを捕捉するイメージシステム。
【請求項２６】
前記制御システムは、一つ以上の電子、ファームウェア、ソフト、電気機械部品、或いは、その群の組み合わせからなることを特徴とする請求項２４に記載のメディアイメージを捕捉するイメージシステム。
【請求項２７】
前記光学素子は、光学プリズム、或いは、複数の鏡を含むことを特徴とする請求項２３に記載のメディアイメージを捕捉するイメージシステム。
【請求項２８】
前記レンズアレイは、単一倍率（ｕｎｉｔｙ  ｍａｇｎｉｆｉｃａｔｉｏｎ）のレンズアレイであることを特徴とする請求項２２に記載のメディアイメージを捕捉するイメージシステム。
【発明の詳細な説明】
【技術分野】
【０００１】
本発明は、光学領域に関するものであって、特に、反射、及び、透過メディアからイメージを捕捉するスキャン装置に関するものである。
【背景技術】
【０００２】
人々のコンピュータ、ＰＤＡ、携帯電話、ファクシミリ、及び、その他の装置間のテキスト、グラフィック、及び、イメージ情報等の様々なデータの送受信への依存も高まりが、コミュニケーションネットワークを発展させている。多くの業者がシステムを構築し、電子手段によりデータの保存、伝送、受信、更には、ハードコピー（ｈａｒｄ  ｃｏｐｙ）を実行している。多くの状況において、電子型のデータによる作業の実行は便利であり、例えば、データは非常に速い速度で同僚やその他の会社の手に渡る。
【０００３】
しかし、現在多くのスキャンシステムは通常、相当な大きさと電力が必要で、電子型式のハードコピーに対し高品質の複製結果を提供する。例えば、デスクトップスキャナー（ｄｅｓｋｔｏｐ  ｓｃａｎｎｅｒｓ）と多機能周辺機器ｍｕｌｔｉ−ｆｕｎｃｔｉｏｎ  ｐｅｒｉｐｈｅｒａｌｓ  、ＭＦＰ）  は、平面走査ソリューション（ｆｌａｔｂｅｄ  ｓｃａｎｎｉｎｇ  ｓｏｌｕｔｉｏｎｓ）を使用するので、往々にして、デスクトップ領域を占有する。このような方式は、スキャンしたいドキュメントと同じ大きさの平面の平台プラテンガラスが必要である。この他、あるシステムは小さい光学表面によりドキュメントを伝送して、平面プラテンを減少させることができる。しかし、この方式は、機械式のメディアプロセッサが余分に必要となる。また、メディアは光学ウィンドウの上方を通過するので、使用時間が長くなると、光学ウィンドウも損傷を受けやすい。よって、交換可能な光学ウィンドウが必要である。この他、脆弱なメディアは固定式の光学ウィンドウを通過することにより損壊する恐れがある。
【０００４】
更に、多くの小型スキャンシステムは屈折率分布型（ｇｒａｄｉｅｎｔ  ｉｎｄｅｘ  、ｇｒｉｎ）レンズアレイを使用し、非常に短い焦点距離と非常に限られた焦点深さを有する。これらのシステム中、メディアを適当な焦点面に定位させないと、人々が容認できるイメージ品質が獲得できない。
【０００５】
よって、精確、且つ、効果的に反射光と透光メディアからのイメージを捕捉する小型のスキャン装置が必要とされる。
【発明の開示】
【発明が解決しようとする課題】
【０００６】
上述の問題を達成するため、本発明は、メディアイメージを捕捉するイメージシステムを提供し、光学モジュールを有し、スキャンメカニズムに対し旋転する管状プラテンを利用して、メディア物件のスキャンイメージを生成することを目的とする。
【０００７】
本発明は、イメージシステムを提供し、照明システムと光学モジュールを結合することにより、メディアのスキャンを実行し、照明システムは、管状拡散プラテン、光源、反射器からなる。光学モジュールは、イメージ素子を囲繞旋転する旋転光学プラテンを有し、且つ、イメージ素子は、レンズアレイ、光学素子、線的センサーアレイ、相互接続回路、及び、ハウジング、からなり、光学プラテンは透過型で、イメージ素子が透過型メディアのイメージを補足できると共に、透過型メディアを精確に最適な焦点面に定位させる。
【０００８】
本発明は、透過型メディアイメージを捕捉するイメージシステムを提供し、照明システムは、透過型メディアの一側に設置されて、透過型メディアのバックライトとなり、且つ、イメージシステムは、このバックライトの透過型メディアを捕捉し、透過型光学プラテンはイメージシステムを囲繞して旋転し、透過型メディアの位置を定位させる。
【０００９】
本発明は、イメージシステムを提供し、照明と光学のサブシステムは独立した旋転光学プラテン内に包括され、イメージシステムは、不透光のドキュメントが光学モジュールの位置の同一辺から受光する時、不透過ドキュメントに対しスキャン作業を実行する。
【課題を解決するための手段】
【００１０】
本発明のメディアイメージを捕捉するイメージシステムは、照明システムと光学モジュールからなり、両者の結合によりメディアのスキャンを実行する。照明システムは、管状拡散プラテン、光源、反射器からなる。光学モジュールは、イメージ素子を囲繞旋転する旋転光学プラテンを有し、且つ、イメージ素子は、レンズアレイ、光学素子、線的センサーアレイ、相互接続回路、及び、ハウジング、からなり、光学プラテンは透過型で、イメージ素子が透過型メディアのイメージを補足できると共に、透過型メディアを精確に最適な焦点面に定位させる。
【発明の効果】
【００１１】
本発明により、精確、且つ、効果的に反射光と透光メディアからのイメージを捕捉する小型のスキャン装置が提供される。
【発明を実施するための最良の形態】
【００１２】
図１は、本発明の好ましい実施例によるイメージシステム１０の断面図である。イメージシステム１０は、照明システム１２と光学モジュール１４からなる。照明システム１２と光学モジュール１４は、通常一緒に使用されて、透過メディア（ｔｒａｎｓｐａｒｅｎｔ  ｍｅｄｉａ）１６に対しスキャンを実行する。
【００１３】
照明システム１２は三つの主要素子からなり、管状拡散プラテン２０、光源２２、及び、反射器２４である。管状拡散プラテン２０の材質は、例えば、ガラス、或いは、プラスチックで、光源２２からの光線を拡散し、透過型メディア１６を精確に好ましい焦点面に定位させることができるものである。光源は、制御可能な光源で、例えば、蛍光ランプの白色光、或いは、日本板硝子（Ｎｉｐｐｏｎ  Ｓｈｅｅｔ  Ｇｌａｓｓ）、或いは、米国のピクソン（Ｐｉｘｏｎ  Ｃｏｒｐｏｒａｔｉｏｎ）社による発光ダイオード照明光導体（ｌｉｇｈｔ  ｇｕｉｄｅ）の有色光である。また、反射器２４は白色光、或いは、銀白光反射器で、光線を反射させると共に、透過型メディアに向かって照射する。
【００１４】
光学モジュール１４は、旋転光学プラテン３０とハウジング４０からなる。旋転光学プラテン３０は、イメージ素子を囲繞して旋転し、イメージ素子は、レンズアレイ３２、光学素子３４、線的センサーアレイ３６、相互接続回路３８、及び、ハウジング４０、からなり、光学プラテン３０は光学プラスチック、或いは、ガラスからなり、透過型で、イメージ素子が透過型メディア１６のイメージを補足できると共に、透過型メディア１６を精確に最適な焦点面に定位させる。イメージ素子のレンズアレイ３２は単一倍率（ｕｎｉｔｙ  ｍａｇｎｉｆｉｃａｔｉｏｎ）のレンズアレイで、例えば、日本板硝子、或いは、三菱レーヨン（Ｍｉｔｓｕｂｉｓｈｉ  Ｒａｙｏｎ）による屈折率分布型レンズアレイで、屈折率分布型レンズアレイを使用するレンズアレイは、二個の反射光が光学素子３４を通過後、透過型メディア１６のイメージを線的センサーアレイ（ｌｉｎｅａｒ  ｓｅｎｓｏｒ  ａｒｒａｙ）３６上で構築する。また、光学素子３４は褶曲光学経路（ｆｏｌｄｅｄ  ｏｐｔｉｃａｌ  ｐａｔｈ）の実施例中に使用でき、非褶曲光学経路（ｎｏｎ−ｆｏｌｄｅｄ  ｏｐｔｉｃａｌ  ｐａｔｈ）の実施例中、光学素子３４を除去してもよい。また、光学素子３４は、イメージ素子の尺寸を縮小することができ、旋転光学プラテン３０の尺寸も更に小さくなり、光学素子３４は、光学プリズム、或いは、複数の多ミラー（ｍｕｌｔｉｐｌｅ  ｍｉｒｒｏｒｓ）を含む。これらの多ミラーは、一つ、或いは、それ以上の反射の光学経路により設計され、ハウジング４０上に設置される。線的センサーアレイ３６は、光センサーの線的アレイを有し、画素とも称され、電荷結合装置（ｃｈａｒｇｅ−ｃｏｕｐｌｅｄ  ｄｅｖｉｃｅ、ＣＣＤ）、シーモス（Ｃｏｍｐｌｅｍｅｎｔａｒｙ  Ｍｅｔａｌ  Ｏｘｉｄｅ  Ｓｅｍｉｃｏｎｄｕｃｔｏｒ、ＣＭＯＳ）技術、或いは、その他の光センサー技術により製作される。線的センサーアレイ３６中の画素素子は、光エネルギーを電荷に転換し、電圧信号を生成し、デジタル化した後、透過型メディア１６上のスキャンラインに対応するデジタルデータを提供する。この他、相互接続回路３８が使用されて、線的センサーアレイ３６からの出力信号を制御、取得する。また、ハウジング４０は、イメージ素子の全素子を容納、排列でき、これらの素子は、周辺、或いは、迷光（ｓｔｒａｙ  ｌｉｇｈｔ）の光学経路から隔離し、その構造の完全性を提供し、外部の機械素子を接続して、旋転光学プラテン３０内の光学素子３４が適当に定位するようにする。照明システム１２、光学モジュール１４と透過型メディア１６、管状拡散プラテン２０と旋転光学プラテン３０は、制御システムにより制御を協調させる。この制御システムは、電子、ファームウェア、ソフト、電気機械部品、或いは、それらの群の組み合わせで、イメージシステム１０は外部の各素子、或いは、ストレージ（ｓｔｏｒａｇｅ）に接続される。
【００１５】
図１Ｂは、照明システム１２の照明形態と光学モジュール１４の透過型メディア１６に対する光学経路の細部断面図である。多辺形５０は光源２２と透過型メディア１６間を介する照明空間で、光源２２に存在する光線は、直線Ａ−Ｂに沿い、主に、直線Ｃ−Ｄ方向に伝送されて、透過型メディア１６を照明し、直線Ｃ−Ｄの中央は最高輝度を生成する。直線５２は、透過型メディア１６の物面から線的センサーアレイ３６で生成されるイメージ面の光学路径の中心線を示す。
【００１６】
図１Ｃは、イメージシステム１０の位置のスキャン操作期間での移動を示す図である。透過型メディア１６は、矢印６０方向のように、左から右へ移動すると同時に、旋転拡散プラテン２０は矢印６２方向のように反時計回りで、旋転拡散プラテン３０は矢印６４方向のように時計回りである。本発明のその他の実施例中、運行する方向は反対でもよい。これらの実施例中、透過型メディア１６は、矢印６０の反対方向に移動し、同時に、拡散プラテン２０は、矢印６２の反対方向に時計回りで旋転し、光学プラテン３０は、矢印６４の反対方向に反時計回りに旋転する。
【００１７】
図２は、本発明の実施例による非褶曲光学経路を結合した光学システムの断面図である。非褶曲光学経路は、光学経路中心線１５２により設計される。本実施例中、透過型メディア１６からの光線は、旋転光学プラテン３０を通過し、レンズアレイ３２により捕捉、焦点し、その後、線的センサーアレイ３６に進入する。
【００１８】
図３は、本発明の実施例による二個以上の反射器を有する光学プリズム１３４を結合した光学システムの断面図である。図３ではハウジングが示されておらず、光学プリズム１３４が銀をめっきし、且つ、レンズアレイ３２と線的センサーアレイ３６の介面以外の場所が不透光である場合、ハウジングは消去、或いは、減少してもよい。光学経路は、光学路径中心線２５２により設計される。本実施例中、透過型メディア１６からの光線は、旋転光学プラテン３０を通過し、レンズアレイ３２により捕捉され、光学プリズム１３４内で三回反射し、その後、線的センサーアレイ３６に集光する。
【００１９】
図４は、本発明の実施例による照明と光学サブシステムを、一つの独立した旋転光学プラテン３０中に包括させたことを示す図である。本実施例は、不透過ドキュメントをスキャンし、このドキュメントは、光学モジュール１１４の位置の同一辺から受光する。光学モジュール１１４は、図１の光学モジュール１４の全ての素子を含み、光源１２２、反射器１２４からなる照明素子も含む。図４は、光学モジュール１１４の照明形態と光学モジュール１１４のメディア１１６に相対する光学路径を示す。多辺形１５０は、光源１２２とメディア１１６間を介する照明空間を示し、光源１２２に存在する光線は、直線Ｅ−Ｆに沿い、且つ、主に、直線Ｇ−Ｈの方向に伝送されて、照明は反射光メディア１１６を照明すると共に、直線Ｇ−Ｈの中央で最高輝度を生成する。メディア１１６から散射される光線は、旋転光学プラテン３０を穿過し、レンズアレイ３２と光学素子３４により捕捉し、線的センサーアレイ３６に集光する。光学経路中心線３５２は、メディア１１６から線的センサーアレイ３６までの光学経路を示す。線的センサーアレイ３６は、アレイ中の各画素上で光線を電荷に転換し、電荷の量は光線の量と比例し、且つ、電荷は累積でき、同時に、余分な電子装置から読み取り、電圧に転換して出力する。
【００２０】
図５は、本発明の実施例による二個の光学モジュールを示し、つまり、上光学モジュール１１４Ａと下光学モジュール１１４Ｂを使用し、透光、或いは、不透光のメディア２１６に対しスキャンする多重スキャン功能を実行する。照明が、上光学モジュール１１４Ａ、或いは、下光学モジュール１１４Ｂから提供されるのかは各種メディアが透光か不透光かによる。メディア２１６が透過なら、上光学モジュール１１４Ａはメディア３１６のバックライト照明を提供し、下光学モジュール１１４Ｂは、イメージ捕捉を実行する。メディア２１６が不透光の場合、上光学モジュール１１４Ａはメディア２１６の頂側をスキャンし、下光学モジュール１１４Ｂは、メディア２１６の底側をスキャンする。また、これらのモジュールが同時スキャン、或いは、連続スキャンを実行するのは、イメージシステムの功能によって決まる。
【００２１】
図６は、本発明の実施例による光学システムを使用する方法のフローチャートである。本方法の各工程は、それぞれ、以下のようである。工程６００で、まず、スキャン作業の初期化を実行し、その後、工程６０２で、メディアの位置をスキャンラインの外側に定位させ、続いて、工程６０４〜６０８において、スキャンシステムの補正を実行する。補正の工程については、工程６０４で、消灯し、所謂ダーク補正（ｄａｒｋ  ｃａｌｉｂｒａｔｉｏｎ）で、ダーク補正は照明が欠乏する下でデータを測量し、センサーの変異に対し補償を実行する。工程６０６中、照明を点灯する。続いて、工程６０８で、白補正を実行し、照明システムと光学システム中の変異を測量する。ダーク補正と白補正のデータは、システム中で使用し、システムの各項変異を除去すると共に、スキャン品質を改善する。その後、工程６１０で、メディアはイメージ経路中に移動する。工程６１２で、現在のスキャンラインのデータを捕捉し、その後、工程６１４中、スキャンライン毎に、メディアに対しスキャンを進める。工程６１６で、スキャン作業が完成したか確認する。スキャン作業は予め決定されたスキャンライン数量により実行するか、或いは、システムはその他の方式によりスキャン作業が完成したか確認する。例えば、メディアが不足する状況に対し、独立したセンサーを使用するか、或いは、スキャンデータを検査することにより、メディアが不足するか確認する。スキャン作業が未完成の場合、工程６１２で、別のスキャンラインの捕捉を実行する。システムが工程６１６〜６１８の順に従って、スキャンの完成を確認した後、この方法のスキャン作業を完成する。
【００２２】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００２３】
【図１】本発明の実施例による光学モジュールを有するイメージシステム      を示した図である。
【図１Ｂ】本発明の実施例によるイメージシステムの照明形態と光学経路を示す図である。
【図１Ｃ】本発明の実施例によるプラテンとメディアのスキャン操作期間の移動を示す図である。
【図２】本発明のもう一つの実施例による光学モジュールを有するイメージシステムを示した図である。
【図３】本発明のもう一つの実施例による光学モジュールを有するイメージシステムを示した図である。
【図４】本発明のもう一つの実施例による光学モジュールを有するイメージシステムを示した図である。
【図５】本発明のもう一つの実施例による光学モジュールを有するイメージシステムを示した図である。
【図６】本発明の実施例によるドキュメントをスキャンする方法を示した図である。
【符号の説明】
【００２４】
１０                    イメージシステム
１２                    照明システム
１４                    光学モジュール
１６                    透過型メディア
２０                    管状拡散プラテン
２２                    光源
２４                    反射器
３０                    旋転光学プラテン
３２                    レンズアレイ
３４                    光学素子
３６                    線性センサーアレイ
４０                    ハウジング
５０                    多辺形
５２                    直線
６０                    矢印
６２                    矢印
６４                    矢印
１１４                  光学モジュール
１１４Ａ                上光学モジュール
１１４Ｂ                下光学モジュール
１１６                  メディア
１２２                  光源
１２４                  反射器
１３４                  光学プリズム
１５０                  多辺形
１５２                  光学経路中心線
１５４                  光学経路中心線
２１６                  メディア
３５２                  光学経路中心線
【図１】
2007097143.tif 000003
【図１Ｂ】
2007097143.tif 000004
【図１Ｃ】
2007097143.tif 000005
【図２】
2007097143.tif 000006
【図３】
2007097143.tif 000007
【図４】
2007097143.tif 000008
【図５】
2007097143.tif 000009
【図６】
2007097143.tif 000010
【外国語明細書】
2007097143000001.pdf